(57)【要約】【課題】略四角柱状のコンデンサであっても、複数のコンデンサを近接させた状態で併設することができ、コンデンサの取り付けに必要な面積を小さくすることができるコンデンサ及びコンデンサの配置構造を提供する。【解決手段】コンデンサ素子を外装する略四角柱状の外装体２と、外装体２を被取付体３に取り付けるための取付バンド４とを具備するコンデンサであって、取付バンド４は、略四角形の環状とされ、外装体２の外周に設けられるバンド体４１と、バンド体４１の内径を調節する締付手段４２と、バンド体４１を被取付体３に取り付けるための取付部４３とを備え、締付手段４２は、バンド体４１の角部４１ａに設けられ、取付部４３は、バンド体４１の各辺４１ｂ・・に、且つバンド体４１の辺４１ｂの中央Ｍから同じ周方向に偏移して設けられている。【選択図】図３
2013048148.tif 000002
【特許請求の範囲】
【請求項１】
コンデンサ素子を外装する略四角柱状の外装体（２）と、上記外装体（２）を被取付体（３）に取り付けるための取付バンド（４）とを具備するコンデンサであって、上記取付バンド（４）は、略四角形の環状とされ、上記外装体（２）の外周に設けられるバンド体（４１）と、上記バンド体（４１）の内径を調節する締付手段（４２）と、上記バンド体（４１）を上記被取付体（３）に取り付けるための取付部（４３）とを備え、上記締付手段（４２）は、バンド体（４１）の角部（４１ａ）に設けられ、上記取付部（４３）は、バンド体（４１）の各辺（４１ｂ・・）に、且つバンド体（４１）の辺（４１ｂ）の中央（Ｍ）から同じ周方向に偏移して設けられていることを特徴とするコンデンサ。
【請求項２】
請求項１に記載のコンデンサを、隣接するコンデンサ（１）（１）の取付バンド（４）（４）の辺（４１ｂ）（４１ｂ）同士が略同一平面上に位置するように、且つ、互いに対向する辺（４１ｂ）（４１ｂ）に設けられた取付部（４３）（４３）の側部（４３ｂ）（４３ｂ）同士が対向するようにして複数のコンデンサ（１・・）を互いに近接させた状態で併設していることを特徴とするコンデンサの配置構造。
【発明の詳細な説明】
【技術分野】
【０００１】
この発明は、コンデンサケースを被取付体に取り付けるための取付バンドを備えたコンデンサ及びコンデンサの配置構造に関する。
【背景技術】
【０００２】
大容量コンデンサを電子機器等の被取付体へ取り付けるにあたっては、通常、取付バンドを介して行うことが多い。
【０００３】
具体的には、コンデンサケースを保持するバンド体と、バンド体の内径を調節する締付手段と、バンド体を被取付体に取り付けるための取付部とから構成された取付バンドを、コンデンサケースの外周面に巻き付けた状態において、締付手段を締め付けることでバンド体をコンデンサケースに密着させるとともに、取付部と被取付体とを対向させ、取付部と被取付体とに跨ってネジを挿通、螺着することで、取付バンドを介して、大容量コンデンサを被取付体に取り付けている（例えば、特許文献１参照）。
【先行技術文献】
【特許文献】
【０００４】
【特許文献１】実開昭６３−９７２２９号公報
【発明の概要】
【発明が解決しようとする課題】
【０００５】
ところで、大容量コンデンサとしては、従来、円柱状のコンデンサが多用されており、その取り付けに用いられる取付バンドは平面視円形状とされていた。取付バンドが平面視円形状である場合、図５（ａ）に示すように、互いに隣接するコンデンサ１０、１０間に大きな隙間Ｓが形成される。そのため、バンド体から外方に突出して設けられている取付部を、その隙間Ｓに位置させることができ、コンデンサ１０を複数併設する場合においても、コンデンサ１０、１０同士を近接して配置することが可能となる。
【０００６】
ところが、近年、円柱状のコンデンサに代えて、略四角柱状のコンデンサを用いることもある。この場合、平面視略四角形の取付バンドを用いて取り付けを行うこととなるが、平面視円形状の取付バンドと違って角部があるため、図５（ｂ）に示すように、互いに隣接するコンデンサ１０、１０間に大きな隙間Ｓは形成されない。そのため、コンデンサ１０を複数併設する場合には、取付部が隣接するコンデンサ１０（特に取付部）と干渉する虞があり、コンデンサ１０、１０同士を離して位置させたり、コンデンサ１０、１０同士を互いにずらして配置する等の調整が必要で、取付作業が煩雑であるとともに、コンデンサ１０の取り付けに必要な面積が大きくなって、コンデンサ１０を組み込む電子機器の大型化を招くといった不具合を生じていた。
【０００７】
また、取付バンドの締付手段においても、バンド体から外方に突出して設けられているため、締付手段が隣接するコンデンサ１０と干渉することがあり、コンデンサ１０、１０同士を互いに近接させた状態で併設することが困難であった。
【０００８】
そこで、この発明は、上記課題を解決するためになされたもので、略四角柱状のコンデンサであっても、複数のコンデンサを近接させた状態で併設することができ、コンデンサの取り付けに必要な面積を小さくすることができるコンデンサ及びコンデンサの配置構造の提供を目的とする。
【課題を解決するための手段】
【０００９】
上記課題を解決するために、本発明のコンデンサは、コンデンサ素子を外装する略四角柱状の外装体２と、上記外装体２を被取付体３に取り付けるための取付バンド４とを具備するコンデンサであって、上記取付バンド４は、略四角形の環状とされ、上記外装体２の外周に設けられるバンド体４１と、上記バンド体４１の内径を調節する締付手段４２と、上記バンド体４１を上記被取付体３に取り付けるための取付部４３とを備え、上記締付手段４２は、バンド体４１の角部４１ａに設けられ、上記取付部４３は、バンド体４１の各辺４１ｂ・・に、且つバンド体４１の辺４１ｂの中央Ｍから同じ周方向に偏移して設けられていることを特徴としている。
【００１０】
また、本発明のコンデンサの配置構造は、上記コンデンサを、隣接するコンデンサ１、１の取付バンド４、４の辺４１ｂ、４１ｂ同士が略同一平面上に位置するように、且つ、互いに対向する辺４１ｂ、４１ｂに設けられた取付部４３、４３の側部４３ｂ、４３ｂ同士が対向するようにして複数のコンデンサ１・・を互いに近接させた状態で併設していることを特徴としている。
【発明の効果】
【００１１】
この発明のコンデンサによれば、略四角形とされたバンド体の各辺に設けられた取付部が、辺の中央から同じ周方向に偏移している、すなわち、略四角形のバンド体の図心を中心として、時計回り又は反時計回りに、それぞれの取付部が、バンド体の辺の中央からずれて位置されているので、複数のコンデンサを、コンデンサの取付バンドの辺同士が互いに略同一平面上に位置するように併設した場合でも、互いに対向する辺に設けられた取付部同士が干渉することが無く、コンデンサ同士をより近接した状態で併設することができ、コンデンサの取り付けに必要な面積を小さくすることができる。
【００１２】
また、取付バンドの締付手段を、バンド体の角部に設けたことによって、隣接するコンデンサの取付部と干渉し難くなり、複数のコンデンサをより近接した状態で併設することが可能となる。
【００１３】
すなわち、本発明によれば、複数のコンデンサを併設するにあたって、コンデンサ同士を離して位置させたり、コンデンサ同士を互いにずらして配置する等の特段の調整が必要なく、被取付体への取付又は取り外し作業をスムーズに行えるとともに、コンデンサの取り付けに必要な面積を小さくすることができるといった作用効果を奏する。
【図面の簡単な説明】
【００１４】
【図１】本発明の実施形態に係るコンデンサを示す斜視図である。
【図２】同じくその分解斜視図である。
【図３】同じくその平面図である。
【図４】複数のコンデンサを併設した状態を示す平面図である。
【図５】コンデンサの併設状態を示す概略平面図であって、（ａ）は円柱状のコンデンサの併設状態を、（ｂ）は略四角柱状のコンデンサの併設状態を示す。
【発明を実施するための形態】
【００１５】
以下、この発明のコンデンサの実施形態を図面に基づいて詳細に説明する。この発明のコンデンサ１は、図１乃至図３に示すように、コンデンサ素子（図示しない）を外装する略四角柱状の外装体２と、外装体２を電子機器等の被取付体３に取り付けるための取付バンド４とを備えている。
【００１６】
具体的には、外装体２は、図１乃至図３に示すように、平面視略四角形状の底面板２ａと、その底面板２ａの各辺から立ち上がる側面板２ｂ・・とから構成されている。また、その上部には開口部２ｃが形成され、且つ内部にはコンデンサ素子を収納可能な空間が形成されており、外部接続端子５、５を接続したコンデンサ素子を内部の空間に収納した状態において、空間内に樹脂６を充填することにより、コンデンサ素子を封止することができるようになっている。なお、外装体２としては、上記に示した用途、具体的には、コンデンサ素子を樹脂封止するためのコンデンサケースである必要は無く、コンデンサケースの外側に設けられる化粧用や保護用の外装材であっても良い。
【００１７】
取付バンド４は、図１乃至図３に示すように、平面視略四角形の環状とされ、外装体２の外周に設けられるバンド体４１と、このバンド体４１の内径を調節する締付手段４２と、バンド体４１を被取付体３に取り付けるための取付部４３とから構成されている。
【００１８】
具体的には、バンド体４１は、例えば金属製の帯状薄板を外装体２の外周形状に合わせて、平面視略四角形に折曲形成することで構成されており、図１に示すように、その下端側が、外装体２の底面板２ａと略同一平面上に位置するようにして、外装体２の外周に取り付けられる。
【００１９】
締付手段４２は、バンド体４１の両端部を外方に突出するように折曲してなる一対の突出部４２ａ、４２ａに跨って２本のボルト４２ｂ、４２ｂを挿通し、これらボルト４２ｂ、４２ｂにそれぞれナット４２ｃ、４２ｃを螺合することで構成されており、ボルト４２ｂ、４２ｂを締め付けることで、バンド体４１によって構成される環の内径を小さくする方向に調節できるようになっている。外装体２を取付バンド４に保持させる場合には、バンド体４１を外装体２の外周に巻き付けた状態において、締付手段４２のボルト４２ｂ、４２ｂを締め付け、バンド体４１の内周面を外装体２の外周に密着させることで行う。なお、バンド体４１によって構成される環の内径を調節する機構としては、ボルト４２ｂの締め付けに限らず、バネやゴム等の弾性体による収縮を用いたものでも良い。また、締付手段４２は、１個に限らず、バンド体４１の異なる角部４１ａにもう１個、すなわち計２個設けても良い。
【００２０】
取付部４３は、ネジ７を挿通可能な貫通孔４３ａが穿設された金属板であって、平面視略四角形とされたバンド体４１の各辺（各側面）４１ｂ・・から外方に突出するようにして設けられている。また、取付バンド４が外装体２に取り付けられた状態において、外装体２の底面板２ａと略同一平面上に位置されるように、バンド体４１の下端側で、且つ外装体２の側面板２ｂ・・と略直交して設けられており、外装体２の底面板２ａを被取付体３に重ね合わせた際、取付部４３が被取付体３と重なり合うようになっている。取付部４３を被取付体３に取り付ける場合には、取付部４３と被取付体３とを重ね合わせた状態において、取付部４３の貫通孔４３ａと被取付体３とに跨ってネジ７を挿通、螺着することで行う。
【００２１】
また、取付部４３・・は、図３に示すように、取付バンド４の辺４１ｂの中央Ｍから、それぞれ同じ周方向Ｄに偏移して位置されている、すなわち、平面視略四角形のバンド体４１の図心を中心Ｃとして、それぞれの取付部４３・・が、バンド体４１の辺４１ｂの中央Ｍから反時計回りにずれて位置されている。また、取付部４３、４３は、互いに対向する辺４１ｂ、４１ｂの中央Ｍ、Ｍを結んで外方に延びる仮想線（一点鎖線）上に位置しないように設けられている。
【００２２】
そのため、図４に示すように、複数のコンデンサ１・・を、コンデンサ１の取付バンド４の辺４１ｂや、外装体２・・の側面板２ｂ・・が互いに略同一平面上に位置するようにして被取付体３に併設した場合においても、紙面上下方向に併設されたコンデンサ１、１の互いに対向する辺４１ｂ、４１ｂに設けられた取付部４３、４３のうち、上側のコンデンサ１の取付部４３は辺４１ｂの中央Ｍの右側に、下側のコンデンサ１の取付部４３は辺４１ｂの中央Ｍの左側に位置され、また、紙面左右方向に併設されたコンデンサ１、１の互いに対向する辺４１ｂ、４１ｂに設けられた取付部４３、４３のうち、右側のコンデンサ１の取付部４３は辺４１ｂの中央Ｍの下側に、左側のコンデンサ１の取付部４３は辺４１ｂの中央Ｍの上側に位置されることとなり、互いに対向する辺４１ｂ、４１ｂに設けられた取付部４３、４３同士が互いに干渉することはなく、その側部４３ｂ、４３ｂ同士が互いに対向した状態となる。そのため、隣接するコンデンサ１への取付部４３の干渉に注意を払う必要は無く、コンデンサ１、１同士をより近接した状態で併設することができ、コンデンサ１の取り付けに必要な面積を小さくすることができる。
【００２３】
また、取付バンド４の締付手段４２を、バンド体４１の角部４１ａに設けたことによって、隣接するコンデンサ１の取付部４３と干渉し難くなり、複数のコンデンサ１・・をより近接した状態で併設することが可能となる。
【００２４】
このように、本発明によれば、複数のコンデンサ１・・を併設するにあたって、コンデンサ１、１同士を離して位置させたり、コンデンサ１、１同士を互いにずらして配置する等の特段の調整を行う必要なく、被取付体３への取付や取外し作業をスムーズに行えるとともに、コンデンサ１の取り付けに必要な面積を小さくすることができる。また、各辺４１ｂ・・に設けられた取付部４３・・が、全て同じ周方向に偏移しているため、外装体２を取り囲むようにして設けられた取付部４３・・間の距離がそれぞれ略均一となり、外装体２を被取付体３にバランス良く取り付けることができる。
【００２５】
以上に、この発明の具体的な実施形態について説明したが、この発明は上記実施形態に限定されるものではなく、この発明の範囲内で種々変更して実施することが可能である。例えば、上記実施例においては、取付部４３を、辺４１ｂの中央Ｍから反時計回りにずらして位置させていたが、時計回りにずらして位置させても上記実施例と同様の作用効果を奏する。また、取付部４３を被取付体３に取り付けるにあたって、ネジ７を用いていたが、これに限ることはなく、ボルトやシャフト等によって着脱可能に取り付けても良いし、接着や溶着することで着脱困難に取り付けても良い。また、バンド体４１、取付部４３は、金属製に限らず、樹脂等、種々の材質によって形成されていても良く、外装体２においても種々の材質によって形成して良い。また、コンデンサ素子としては、フィルムコンデンサが好ましいが、これに限らず、種々のコンデンサ素子を用いてコンデンサを形成しても良い。
【符号の説明】
【００２６】
１・・コンデンサ、２・・外装体、２ｂ・・側面板、３・・被取付体、４・・取付バンド、４１・・バンド体、４１ａ・・角部、４１ｂ・・辺、４２・・締付手段、４３・・取付部、４３ｂ・・側部、Ｍ・・辺の中央
【図１】
2013048148.tif 000003
【図２】
2013048148.tif 000004
【図３】
2013048148.tif 000005
【図４】
2013048148.tif 000006
【図５】
2013048148.tif 000007